(57)【要約】【課題】この発明は、ＨＤＤを放送番組視聴中断時の番組録画手段として適用するように構成したテレビジョン放送受信装置において、ＨＤＤを冷却するファンの消費電力の低減を実現できるようにすることを目的としている。【解決手段】ＨＤＤユニット１２１に対してテレビジョン信号の記録を開始させると共に、記録開始から所定時間後に当該記録を継続させつつ前記記録したテレビジョン信号をその記録開始位置から順次再生して、映像信号を映像表示手段１１４で表示させる第１の動作態様と、前記ＨＤＤユニット１２１の非アクセス時間が所定時間以上となったときにＨＤＤ冷却用電動ファン１２２を停止させる第２の動作態様とを実行させる制御手段１１６と；前記制御手段に前記第１の動作態様を実行させるか否か、および当該第１の動作態様を実行させる際に、前記第２の動作態様を実行させるか否かの設定を行う設定手段を具備した。【選択図】    図４
2006279835.tif 000002
【特許請求の範囲】
【請求項１】
テレビジョン放送信号を受信する受信手段と、受信したテレビジョン放送信号に所定の信号処理を施してテレビジョン信号を復元する信号処理手段と、前記信号処理手段で復元されたテレビジョン信号の映像信号を表示する映像表示手段と、前記信号処理手段で処理されたテレビジョン信号を記録し、かつ再生するＨＤＤと、を備えたテレビジョン放送受信装置において、
前記ＨＤＤに冷却空気を送るように設けられた電動ファンと、
前記ＨＤＤに対して前記テレビジョン信号の記録を開始させると共に、記録開始から所定時間後に当該記録を継続させつつ前記記録したテレビジョン信号をその記録開始位置から順次再生して、再生したテレビジョン信号の映像信号を前記映像表示手段で表示させる第１の動作態様と、前記ＨＤＤのアクセス状況を監視し、非アクセス時間が所定時間以上となったときに前記電動ファンを停止させる第２の動作態様とを実行させるように制御する制御手段と、
前記制御手段に前記第１の動作態様を実行させるか否か、および当該第１の動作態様を実行させる際に、前記第２の動作態様を実行させるか否かの設定を行う設定手段と、
を具備したことを特徴とするテレビジョン放送受信装置。
【請求項２】
前記設定手段は、さらに前記所定時間値を設定するものであることを特徴とする請求項１に記載のテレビジョン放送受信装置。
【発明の詳細な説明】
【技術分野】
【０００１】
この発明は、デジタルテレビジョン放送受信装置等のテレビジョン放送受信装置に関し、特に例えばＨＤＤ（hard disk drive）のような記録再生装置を備えたテレビジョン放送受信装置に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、テレビジョン放送を受信するテレビジョン放送受信装置においては、例えば、ユーザが設定したジャンルやキーワード等に基づいて放送番組を自動記録しておき、その記録された番組の中からユーザが必要な番組を選択して視聴することができる機能を有するものが出現している。
【０００４】
この場合、放送番組を記録再生するための記録再生装置としては、多数の番組を記録することができる大記録容量が求められるとともに、記録した番組の中から所望の番組を迅速に検索して再生することができるアクセス性能が求められることから、ＨＤＤ（hard disk drive）が採用されている。
【０００５】
一般にＨＤＤは、温度がその使用耐用期間に影響を与えるため、冷却用のファンによって空気を送り、ＨＤＤを冷却して、より長時間安定に動作させ得る環境で使用するようにしている。
【０００６】
ＨＤＤを搭載したテレビジョン放送受信装置においても、ファンを装備してＨＤＤを空冷するように構成している。
【０００７】
当然ながら、ファンはモータで駆動されるものであり、常時駆動していると消費電力がそれだけ嵩み、省エネという観点でみると好ましい状態ではない。
【０００８】
ＨＤＤの消費電力を抑えようとする試みは、従来からなされており、例えば特許文献１には、ＨＤＤを備えた装置の使用／未使用状態を監視して、装置が、使用状態にあるときと未使用状態にあるときとでＨＤＤのディスク駆動モータの自動停止時間を可変できるようにした構成が開示されている。
【０００９】
しかしながら、この特許文献１には、ＨＤＤを冷却するファンに関しては何ら開示されておらず、したがって当然ながらその消費電力を抑えようとする構成も全く触れられていない。
【特許文献１】特開平９−２３７４６３号公報
【発明の開示】
【発明が解決しようとする課題】
【００１０】
そこで、この発明は上記事情を考慮してなされたもので、ＨＤＤを冷却するファンの消費電力の低減化を、ＨＤＤを冷却するという本来の機能をさほど犠牲にすることなく実現できるように構成したテレビジョン放送受信装置を提供することを目的とする。
【課題を解決するための手段】
【００１１】
この発明に係るテレビジョン放送受信装置は、テレビジョン放送信号を受信する受信手段と、受信したテレビジョン放送信号に所定の信号処理を施してテレビジョン信号を復元する信号処理手段と、前記信号処理手段で復元されたテレビジョン信号の映像信号を表示する映像表示手段と、前記信号処理手段で処理されたテレビジョン信号を記録し、かつ再生するＨＤＤと、を備えたテレビジョン放送受信装置において、前記ＨＤＤに冷却空気を送るように設けられた電動ファンと；前記ＨＤＤに対して前記テレビジョン信号の記録を開始させると共に、記録開始から所定時間後に当該記録を継続させつつ前記記録したテレビジョン信号をその記録開始位置から順次再生して、再生したテレビジョン信号の映像信号を前記映像表示手段で表示させる第１の動作態様と、前記ＨＤＤのアクセス状況を監視し、非アクセス時間が所定時間以上となったときに前記電動ファンを停止させる第２の動作態様とを実行させるように制御する制御手段と；前記制御手段に前記第１の動作態様を実行させるか否か、および当該第１の動作態様を実行させる際に、前記第２の動作態様を実行させるか否かの設定を行う設定手段と；を具備したことを特徴とする。
【発明の効果】
【００１２】
上記した構成によれば、ＨＤＤにアクセスしていない時間が所定時間以上になったことを検出して、ファンを停止させるようにしたので、ファンの機能を損なうことなく効果的に消費電力を低減することができようになるものである。さらに、その自動ファン停止機能を使用するかしないかをユーザが設定することができるように構成したため使い勝手も優れたテレビジョン放送受信装置を提供できるようになるものである。
【発明を実施するための最良の形態】
【００１３】
図１は、本発明に係るテレビジョン放送受信装置１００の信号処理系を概略的に示している。図１において、デジタルテレビジョン放送受信用のアンテナ１０１で受信したデジタルテレビジョン放送信号は、入力端子１０２を介してチューナ部１０３に供給される。このチューナ部１０３は、入力されたデジタルテレビジョン放送信号から所望のチャンネルの信号を選局し復調している。そして、このチューナ部１０３から出力された信号は、デコーダ部１０４に供給されて、例えばＭＰＥＧ（moving picture experts group）２デコード処理が施された後、セレクタ１０５に供給される。
【００１４】
さらに、アナログテレビジョン放送受信用のアンテナ１０６で受信したアナログテレビジョン放送信号は、入力端子１０７を介してチューナ部１０８に供給される。このチューナ部１０８は、入力されたアナログテレビジョン放送信号から所望のチャンネルの信号を選局し復調している。そして、このチューナ部１０８から出力された信号は、Ａ／Ｄ（analog／digital）変換部１０９によりデジタル化された後、上記セレクタ１０５に出力される。
【００１５】
また、アナログ信号用の入力端子１１０に供給されたアナログの映像及び音声信号は、Ａ／Ｄ変換部１１１に供給されてデジタル化された後、上記セレクタ１０５に出力される。さらに、デジタル信号用の入力端子１１２に供給されたデジタルの映像及び音声信号は、そのまま上記セレクタ１０５に供給される。
【００１６】
上記セレクタ１０５は、４種類の入力デジタル映像及び音声信号から１つを選択して、信号処理部１１３に供給している。この信号処理部１１３は、入力されたデジタル映像信号に所定の信号処理を施して映像表示器１１４での映像表示に供させている。この映像表示部１１４としては、例えば、液晶ディスプレイやプラズマディスプレイ等でなるフラットパネルディスプレイが採用される。また、上記信号処理部１１３は、入力されたデジタル音声信号に所定の信号処理を施し、アナログ化しスピーカ１１５に出力することにより、音声再生を行なっている。
【００１７】
ここで、このテレビジョン放送受信装置１００は、上記した各種の受信動作を含む種々の動作を制御部１１６によって統括的に制御されている。この制御部１１６は、ＣＰＵ（central processing unit）等を内蔵したマイクロプロセッサであり、チューナ部１０３，１０８、セレクタ１０５、信号処理部１１３及び映像表示器１１４に制御信号を送って、それらを制御する。
【００１８】
さらに、制御部１１６には、ユーザが操作する複数のスイッチで構成される操作部１１７と、リモートコントローラ１１８から送信された操作情報を受ける受光部１１９が接続されており、その操作内容が反映されるように各部をそれぞれ制御している。
【００１９】
この場合、制御部１１６は、メモリ部１２０を使用している。このメモリ部１２０は、主として、そのＣＰＵが実行する制御プログラムを格納したＲＯＭ（read only memory）と、該ＣＰＵの作業エリアを提供するためのＲＡＭ（random access memory）と、各種の設定情報及び制御情報等が格納される不揮発性メモリとを備えている。
【００２０】
さらに、制御部１１６には、ＨＤＤユニット１２１が接続されている。ＨＤＤユニット１２１は、内部にＨＤＤを備えると共に、図示しないモータで駆動される空冷のためのファン１２２を備えている。
【００２１】
ＨＤＤユニット１２１は、信号処理部１１３から制御部１１６を介して送られるデジタル映像信号、音声信号を内蔵したＨＤＤに記録すると共に、記録しているデジタル映像信号、音声信号を再生して制御部１１６を介して信号処理部に送り、映像表示器１１４で映像を表示させ、音声をスピーカ１１５から出力させて、それらを視聴に供する。
【００２２】
さらにテレビジョン放送受信装置１００は、例えば商用電源から電源の供給を受ける電源端子１２３を備え、この端子１２３に供給された電源を、電源回路部１２４で直流に変換して、装置１００内の各回路部に動作電源として供給しており、ＨＤＤユニット１２１にも供給される。ＨＤＤユニット１２１では、それをＨＤＤ駆動電源として利用する他、ファン１２２を駆動するモータの電源として利用する。
【００２３】
また、電源回路部１２４は、操作部１１７あるいはリモートコントローラ１１８からの電源オン／オフ操作情報によって、制御部１１６を介して制御され、電源オンでは、各回路部に電源を供給し電源オフではそれを停止する。但し、制御部１１６他、常時電源が必要な回路部に対しては常時電源を供給する。
【００２４】
さて、以上のように構成されたテレビジョン放送受信装置１００において、例えば放送番組を視聴中に、テレビジョン放送受信装置１００の前から離れなければならない状況になる場合があり、その際にはその番組の視聴を中断するかあるいは終了する必要がある。
【００２５】
例えば中断する場合は、再び視聴が可能になった際に、中断したシーンから引き続いて番組を視聴できれば便利であり、本発明に係るテレビジョン放送受信装置１００は、そのような機能を備えている。
【００２６】
すなわち、番組視聴を中断する際に、ユーザが操作部１１７あるいはリモートコントローラ１１８を操作して、制御部１１６に所定の操作情報を送ると、制御部１１６は、それを受けてＨＤＤユニット１２１を駆動して、視聴中の番組の映像信号及び音声信号をＨＤＤに記録させるように制御する。すなわち録画が開始される。
【００２７】
ユーザが再び視聴可能状況に戻った場合、操作部１１７あるいはリートコントローラ１１８を操作して操作情報を送ることで、制御部１１６は、録画を継続しつつ、視聴を中断したシーンすなわち、ＨＤＤに録画された先頭部分から順次再生させて、その映像及び音声を提示するように、ＨＤＤユニット１２１及びその他の必要な回路部分を制御する。
【００２８】
それによって、ユーザは視聴を中断した場合に、間のシーンを飛ばしてしまうことなく、中断したシーンに続けて連続した視聴を行うことができるものである。ここでは、その機能を「ちょっとタイム」機能と称することにする。
【００２９】
本発明に係るテレビジョン放送受信装置１００において、ＨＤＤユニット１２１は、録画予約及びその再生という一般的使用方法の他、以上説明した「ちょっとタイム」機能を実行するために使用されるが、その場合においても、ＨＤＤユニット１２１の消費電力を管理することは重要であり、以下にその機能について説明する。
【００３０】
すなわち、「ちょっとタイム」機能を動作させるか否か（オン／オフ）の設定と、動作させる場合に、省エネモードを実行させるか否か（オン／オフ）を設定できるように構成したものである。
【００３１】
すなわち、「ちょっとタイム」機能が動作する（オン）ように設定されていて、かつ省エネモードを実行させる（オン）ように設定されていれば、次のような処理が行われる。
【００３２】
すなわち、テレビジョン放送受信装置１００が電源オン状態にあれば、ＨＤＤユニット１２１がアイドルモード（ＨＤＤのドライブモータを含めて駆動中）にあり、ファン１２２も動作しており、ＨＤＤに空気を送ってそれを冷却するように稼動している。
【００３３】
このとき、制御部１１６は、ＨＤＤのアクセス状態を監視しており、内部に備えたタイマ１２５によって、アクセスがない状態が所定時間以上継続した場合、電源管理部１２４を制御して、ＨＤＤユニット１２１をスリープモード（ＨＤＤのドライブモータが動作停止）に切換える。それによって、ファン１２２も動作を停止する。
【００３４】
ＨＤＤユニット１２１をスリープモードに切換えるまでの条件であるＨＤＤの非アクセス連続時間は、例えば１５分であり、ユーザが自由に設定するように構成することも可能である。
【００３５】
以上のように構成することにより、「ちょっとタイム」機能が動作するように設定されていて、かつ省エネモードが実行されるように設定されていた場合に、ＨＤＤが所定時間以上アクセスされないと、ＨＤＤユニット１２１がスリープモードになり、ファンが自動的に停止するので、消費電力を低減させることが可能である。
【００３６】
なお、ＨＤＤの温度上昇は、周囲の空気温度の影響を除けば、アクセスに因るところが殆どであり、所定時間アクセスがない状態では温度上昇を抑えることができるため、ファンを停止してもその使用耐用期間への影響は少ないものである。
【００３７】
以上説明した「ちょっとタイム」機能をオン（動作可能）に設定する操作、及び「ちょっとタイム」機能オン設定時の省エネモードの設定操作について次に説明する。
【００３８】
まず、図１に示すリモートコントローラ１１８の操作ボタンの具体的配置を図２を参照して説明する。リモートコントローラ１１８には、装置１００の電源をオン／オフさせるための電源ボタン２０１と、チューナ部１０３，１０８のチャンネルをダイレクトに切換えるとき等に使用する数字ボタン２０２と、チャンネルを順次切換えるためのチャンネルボタン２０３と、音量を調節するための音量ボタン２０４と、映像表示器１１４に表示されるＧＵＩ（Graphical User Interface）形式の設定画面から設定項目を選択するためのカーソルボタン２０５と、選択した項目を登録するための決定ボタン２０６を有する。
【００３９】
さらにリモートコントローラ１１８は、設定画面を表示させるためのメニューボタン２０７と、メニュー表示を終了させる場合等に使用する終了ボタン２０８と、ちょっとタイムボタン２０９を備えている。
【００４０】
「ちょっとタイム」の設定を行う場合、ユーザはリモートコントローラ１１８の例えばメニューボタン２０７を操作して、階層形式のメニュー選択画面を表示させ、さらにカーソルボタン２０５と決定ボタン２０６によって図３に示す「ちょっとタイム」設定メニュー画面を表示させる。
【００４１】
図３に示す「ちょっとタイム」設定メニューにおいては、設定項目として、「ちょっとタイム」機能をオンさせるかオフとするか３０１と、オンとした場合に、省エネモードをオンとするかオフとするか３０２と、省エネモードにおいて、ＨＤＤユニット１２１がスリープモードに切換えられる、ＨＤＤの非アクセス時間３０３が表示されている。
【００４２】
ユーザはリモートコントローラ１１８の、カーソルボタン２０５と決定ボタンを使用して、各項目について設定する。図３においては、四角の枠３０４〜３０６で示すフォーカスによって、現在の設定状態が示されている。すなわち、「ちょっとタイム」オンで、省エネモードもオンで、スリープモードに移行するＨＤＤの非アクセス時間が１５分である。
【００４３】
なお、「ちょっとタイム」機能をオンとしない場合には、当然他の２つの項目の設定は行われないことになる。設定が終了したら、リモートコントローラ１１８の終了ボタン２０８を操作することで、メニューの表示が終了する。
【００４４】
仮に、「ちょっとタイム」機能がオンに設定され、省エネモードがオンに設定され、さらに、ＨＤＤユニット１２１がスリープモードに切換えられる、ＨＤＤの非アクセス時間が１５分と設定されていた場合、図１に示すテレビジョン放送受信装置１００は、次のように動作する。
【００４５】
テレビジョン受信装置１００の電源がオンに切換えられ、例えば放送番組の視聴が開始されると、ＨＤＤユニット１２１は制御部１１６によってアイドルモードに設定されており、ファン１２２も動作している。１１６が、ＨＤＤユニット１２１のＨＤＤのアクセス状況を監視し、１５分以内に、リモートコントローラ１１８のちょっとタイムボタン２０９が操作されると、制御部は、ＨＤＤユニット１２１駆動して、受信中の放送番組の録画を開始する。
【００４６】
次に、再びちょっとタイムボタン２０９が操作される等して、ちょっとタイム機能が解除されると、制御部１１６は、ＨＤＤでの録画を継続させると共に、録画を開始した部分から再生を実行させてこれを映像表示器１１４及びスピーカで提示させる。
【００４７】
放送番組の録画と、録画した番組の再生は、ユーザがリモートコントローラ１１８の例えば終了ボタン２０８を操作するまで継続して実行される。
【００４８】
また、ＨＤＤが１５分以上アクセスされなかった場合、制御部１１６は、ＨＤＤユニット１２１をスリープモードに切換えて、そのファン１２２も動作を停止させる。
【００４９】
この状態で、リモートコントローラ１１８のちょっとタイムボタン２０９が操作されると、制御部１１６は、まず、ＨＤＤユニット１２１をアイドルモードに切換えてから、視聴中の番組の録画を開始させる。以降の処理は、前述と同じである。この場合、ＨＤＤユニット１２１をスリープモードからアイドルモードに切換える際に若干時間が必要となり、録画開始タイミングが、若干遅れるが実用上差し障りのない範囲である。
【００５０】
図４は以上説明した処理の過程を示すフローチャートである。図４において、ステップＳ４０１で開始され、ステップＳ４０２で、「ちょっとタイム」機能がオンに設定されているか否かの判定がなされ、オンであれば、ステップＳ４０３で省エネモードがオンに設定されているか否かの判定がなされる。
【００５１】
省エネモードがオンに設定されていない場合には、ステップＳ４０４でＨＤＤユニット１２１をアイドルモードに設定する。なお、テレビジョン放送受信装置１００の初期設定状態では、省エネモードはオフに設定されている。
【００５２】
次にステップＳ４０５で「ちょっとタイム」ボタン２０９が操作されたか否かの判定がなされ、ボタン２０９が操作されたと判定されたら、ステップＳ４０７でＨＤＤによる録画を開始する。
【００５３】
次にステップＳ４０７で「ちょっとタイム」が解除されたか否かの判定がなされ、解除された場合、ステップＳ４０８で、録画を継続しつつそのＨＤＤに録画された信号を録画開始部分から再生して視聴する。
【００５４】
次に、ステップＳ４０９で再生が終了されたか否かの判定がなされ、終了した場合ステップＳ４１０で録画を終了し、ステップＳ４１１で処理を終了する。
【００５５】
なお、ステップＳ４０１で「ちょっとタイム」がオンに設定されていないと判定された場合には、そのままステップＳ４１１で処理を終了する。
【００５６】
ステップＳ４０３で、省エネモードがオンに設定されていると判定されたら、ステップＳ４１２でＨＤＤユニット１２１をアイドルモードに設定し、ステップＳ４１３でＨＤＤにアクセスが１５分以上ないかの判定が行われ、アクセスがないと判定された場合、ステップＳ４１４でＨＤＤユニット１２１をスリープモードに設定する。
【００５７】
次にステップＳ４１５で、「ちょっとタイム」ボタン２０９が操作されたか否かの判定がなされ、操作されたと判定された場合には、ステップＳ４１６でＨＤＤユニット１２１をアイドルモードに移行させてからステップＳ４０６〜Ｓ４１１の処理を行う。
【００５８】
以上のように、本発明のテレビジョン放送受信装置によれば、「ちょっとタイム」機能を動作させるか否か、及び動作させるとした場合に、省エネモードへの移行を行わせるか否かを予め設定できるように構成した。
【００５９】
それによって、省エネモードにおいて、所定時間以上ＨＤＤに対してアクセスが行われなかった場合には、自動的にＨＤＤユニットをスリープモードに切換えて、ファンの動作を停止させるようにしたので、消費電力を低減でき、加えて操作性を向上させることができるものである。
【００６０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６１】
【図１】この発明の実施の形態を示すもので、テレビジョン放送受信装置の信号処理系を説明するために示すブロック構成図。
【図２】同実施の形態におけるテレビジョン放送受信装置に適用されるリモートコントローラのボタン配置の一例を示す構成図。
【図３】同実施の形態におけるテレビジョン放送受信装置の設定メニューを用いた設定操作を説明するために示す構成図。
【図４】同実施の形態におけるテレビジョン放送受信装置の動作を説明するために示すフローチャート。
【符号の説明】
【００６２】
１００…テレビジョン放送受信装置、
１０１，１０６…アンテナ
１０２，１０７，１１０，１１２…入力端子
１０３，１０８…チューナ部
１０４…デコーダ部
１０５…セレクタ
１０９，１１１…Ａ／Ｄ変換部
１１３…信号処理部
１１４…映像表示器
１１５…スピーカ
１１６…制御部
１１７…操作部
１１８…リモートコントローラ
１１９…受光部
１２０…メモリ部
１２１…ＨＤＤユニッ
１２２…ファン
１２３…電源入力端子
１２４…電源回路部
１２５…タイマ
【図１】
2006279835.tif 000003
【図２】
2006279835.tif 000004
【図３】
2006279835.tif 000005
【図４】
2006279835.tif 000006